(57)【要約】【課題】配管接続部から冷媒が漏洩しても車内へ流れない車両用空調装置を得る。【解決手段】車両内に設置される筐体１内に、圧縮機５、室外熱交換器６、膨張弁７および室内熱交換器８が順次接続されて冷媒が循環する冷凍サイクルを備え、筐体１内は仕切り板４で仕切られて室内部２と室外部３とを有し、室内部２に室内熱交換器８が配置され、室外部３に圧縮機５、室外熱交換器６および膨張弁７が配置され、室内熱交換器８は、室内熱交換器本体の一部が仕切り板４を貫通して室外部３側に突出しており、その突出部分に圧縮機５および膨張弁７のそれぞれに通じる各配管の配管接続部１０が配置されているものである。【選択図】図１
2011094940.tif 000002
【特許請求の範囲】
【請求項１】
室内機との間で冷媒が循環する冷媒回路の冷媒とポンプから供給される水との熱交換を行う熱交換器と、
該熱交換器の運転状態を検出する検出手段と、
前記室内機に要求された運転指示に関する情報と、前記検出手段により検出された前記熱交換器の運転状態とに基づいて前記ポンプの運転容量を決定し、決定した運転容量で前記ポンプを駆動するための制御信号を前記ポンプを駆動するポンプ駆動回路に出力する制御回路と、
を備えたことを特徴とする熱源機。
【請求項２】
前記熱交換器は、前記冷媒回路の冷媒と、複数のポンプから供給される水とが熱交換可能に構成され、
前記制御回路は、前記室内機に要求された運転指示に関する情報と、前記検出手段により検出された前記熱交換器の運転状態とに基づいて前記ポンプの運転容量を決定し、決定したポンプの運転容量に基づいて前記複数のポンプのうち運転するポンプを決定するとともに、運転すると決定したポンプの運転容量を決定し、決定した運転容量でポンプを駆動するための制御信号を該当ポンプを駆動するポンプ駆動回路に出力することを特徴とする請求項１記載の熱源機。
【請求項３】
前記熱交換器は、前記冷媒回路の冷媒と、複数のポンプから供給される水とが熱交換可能に構成され、
前記制御回路は、前記複数のポンプのそれぞれの運転状態を、前記ポンプが運転不可になった場合に前記ポンプから送信されてくる信号に基づき管理しており、
前記制御回路は、前記室内機に要求された運転指示に関する情報と、前記検出手段により検出された前記熱交換器の運転状態とに基づいて前記ポンプの運転容量を決定し、決定したポンプの運転容量と前記各ポンプの運転状態とに基づいて前記複数のポンプのうち運転するポンプを決定するとともに、運転すると決定したポンプの運転容量を決定し、決定した運転容量でポンプを駆動するための制御信号を該当ポンプを駆動するポンプ駆動回路に出力することを特徴とする請求項１記載の熱源機。
【請求項４】
前記検出手段は、前記熱交換器の水の入力側の温度を検出する手段と、前記熱交換器の水の出力側の温度を検出する手段と、前記熱交換器の冷媒の入力側の温度を検出する手段と、前記熱交換器の冷媒の出力側の温度を検出する手段と、前記熱交換器の冷媒の入力側の圧力を検出する手段と、前記熱交換器の冷媒の出力側の圧力を検出する手段とのうちの何れか１または２以上の組合せであることを特徴とする請求項１乃至請求項３の何れかに記載の熱源機。
【請求項５】
前記制御信号はアナログ信号または多値のデジタル信号であることを特徴とする請求項１乃至請求項４の何れか一項に記載の熱源機。
【請求項６】
請求項１乃至請求項５の何れかに記載の熱源機と前記室内機とを備え、前記室内機に対して設定温度または風量の変更が要求されると、その変更後の設定内容と現在の設定内容とが前記熱源機の前記制御回路に前記運転指示に関する情報として入力されることを特徴とする空調機。
【発明の詳細な説明】
【技術分野】
【０００１】
この発明は、熱源機および空調機に関するものである。
【背景技術】
【０００２】
従来の空調機として、吸込み口および吹出し口を備えた空気調和機本体と、この空気調和機本体内に収容される圧縮機と、蒸発器（熱交換器）と、凝縮器（熱交換器）と、その他の冷凍サイクル構成部品一式とを具備し、冷媒と水との熱交換を行う水冷式熱交換器を凝縮器として用いたものがある（特許文献１参照）。この種の水冷式熱交換器を備えた空気調和機では、水冷式熱交換器が備えられた熱源機と室内機と有し、熱源機側の水冷式熱交換器が室内機と冷媒配管で接続されるとともにポンプユニットと水配管で接続され、水冷式熱交換器は水配管からの水と冷媒配管からの冷媒との熱交換を行っている。
【先行技術文献】
【特許文献】
【０００３】
【特許文献１】特開２００４−１２５３５７号公報（第６頁）
【発明の概要】
【発明が解決しようとする課題】
【０００４】
従来の水冷式の熱交換器を備える空調機では、ポンプユニットのポンプの運転状態は運転／停止の２種類の状態だけを前提として作られていた。ポンプの運転状態が運転／停止の２種類の状態だけであるため、熱交換器に流す水量が少量しか必要でない場合でも、ポンプを最大能力で運転させる必要があった。
【０００５】
したがって、ポンプが無駄な電力を消費するという問題点があった。また、ポンプの寿命が短くなるという問題点があった。また、ポンプが発生する騒音が必要以上に大きいという問題点があった。
【０００６】
この発明は、上記のような課題を解決するためになされたもので、ポンプの無駄な電力の消費を低減し、ポンプを長寿命化し、ポンプが発生する騒音を低減することが可能な熱源機および空調機を提供することを目的とするものである。
【課題を解決するための手段】
【０００７】
この発明に係る熱源機は、室内機との間で冷媒が循環する冷媒回路の冷媒とポンプから供給される水との熱交換を行う熱交換器と、熱交換器の運転状態を検出する検出手段と、室内機に要求された運転指示に関する情報と、検出手段により検出された熱交換器の運転状態とに基づいてポンプの運転容量を決定し、決定した運転容量でポンプを駆動するための制御信号をポンプを駆動するポンプ駆動回路に出力する制御回路とを備えたものである。
【図面の簡単な説明】
【０００８】
【図１】この発明の実施の形態１における熱源機と１台のポンプユニット間のポンプユニット制御信号配線による接続を示す図である。
【図２】この発明の実施の形態２における熱源機と２台以上のポンプユニット間のポンプユニット制御信号配線による接続を示す図である。
【図３】この発明の実施の形態３における熱源機と２台以上のポンプユニット間のポンプユニット制御信号配線およびポンプインターロック信号による接続を示す図である。
【発明を実施するための形態】
【０００９】
実施の形態１．
図１は、この発明の実施の形態１における水冷式の熱源機を備える空調機の構成を示すものである。空調機は、熱源側の室外機１と利用側である室内機２とを備えている。室外機１は、冷媒を圧縮する圧縮機１１と、熱源機１ａとを備えている。熱源機１ａは、冷媒と水との間の熱交換を行う熱交換器１２と、室外機１全体の制御を行う制御回路１３とを備えている。
【００１０】
室内機２は、膨張弁２１と、冷媒と室内の空気の間の熱交換を行う熱交換器２２と、室内の温度を検出する温度センサ２３と、室内機２全体の制御を行う制御回路２４を備えている。そして、圧縮機１１と、熱交換器１２と、膨張弁２１と、熱交換器２２とが冷媒配管３０で接続されて冷媒回路が構成されており、この冷媒回路を備えた空調機は、室内を冷房する冷房運転を行うものである。なお、冷媒回路の構成は図示のものに限定されず、例えば、四方弁を設けて圧縮機１１から吐出された冷媒の流路を変え、冷房または暖房運転可能なものとしてもよい。
【００１１】
熱交換器１２は、水配管３１により後述のポンプユニット４０のポンプ４１と接続されて水を循環する水回路をポンプユニット４０との間に形成しており、熱交換器１２は、ポンプユニット４０からの水と、冷媒回路からの水との熱交換を行う。熱交換器１２における熱交換量は、後述のポンプユニット４０のポンプ４１から供給される水量によって可変となっている。熱交換器１２において水配管３１の入力側には、水配管３１の入力側の水温を検出する温度センサ１４ａが取り付けられ、水配管３１の出力側には水配管３１の出力側の水温を検出する水温温度センサ１４ｂが取り付けられている。
【００１２】
また、熱交換器１２において冷媒配管３０の入力側には、冷媒配管３０の入力側の冷媒温度を検出する温度センサ１４ｃおよび冷媒配管３０の入力側の冷媒圧力を検出する圧力センサ１５ａが取り付けられている。また、熱交換器１２において冷媒配管３０の出力側には、冷媒配管３０の出力側の冷媒温度を検出する温度センサ１４ｄおよび冷媒配管３０の出力側の冷媒圧力を検出する圧力センサ１５ｂが取り付けられる。熱交換器１２の運転状態を検出する、これらの温度センサ１４ａ〜１４ｃおよび圧力センサ１５ａ、１５ｂの出力は、制御回路１３に入力されるように構成されている。
【００１３】
制御回路１３は、通信線１６を通じて室内機２の制御回路２４に接続される。また、制御回路１３は、温度センサ１４ａ〜１４ｃおよび圧力センサ１５ａ、１５ｂからの各検出値と、室内機２の制御回路２４からの運転指示情報と、あらかじめ定められた計算式またはあらかじめ用意されたテーブルとに基づいて、ポンプユニット４０のポンプ４１の運転容量を決定する。制御回路１３は、ポンプユニット４０のポンプ駆動回路４２と制御信号配線１７により接続されており、前記決定したポンプ４１の運転容量でポンプ４１を駆動するための制御信号を制御信号配線１７に出力する。この制御信号は、アナログ信号または多値のデジタル信号である。
【００１４】
ポンプユニット４０は、熱交換器１２と水配管３１で接続され、水配管３１に供給する水量を可変することが可能なポンプ４１と、ポンプ４１とポンプ駆動出力配線４３により接続され、ポンプ４１にポンプ駆動電力を出力するポンプ駆動回路４２とを備えている。ポンプ駆動回路４２は、制御回路１３からの制御信号に応じた電力のポンプ駆動電力をポンプ駆動出力配線４３を介してポンプ４１に出力する。このポンプユニット４０は、空調機とは別設備として設置される。
【００１５】
次に動作について説明する。なお、冷媒回路の動作は公知のものと同様であり、また、この発明の要旨と関係ないため、ここではその説明を省略し、以下では、この発明の要部部分の動作について説明する。
このように構成された空調機において、制御回路１３には、温度センサ１４ａにより検出された水配管３１の入力側の水温と、温度センサ１４ｂにより検出された水配管３１の出力側の水温とが入力されている。また、制御回路１３には、温度センサ１４ｃにより検出された冷媒配管３０の入力側の冷媒温度と、温度センサ１４ｄにより検出された冷媒配管３０の出力側の冷媒温度とが入力されている。また、制御回路１３には、圧力センサ１５ａにより検出された冷媒配管３０の入力側の冷媒圧力と、圧力センサ１５ｂにより検出された冷媒配管３０の出力側の冷媒圧力とが入力されている。
【００１６】
ここで、室内機２側において、使用者により例えばリモコン等から室内の室内設定温度や風量などの運転指示が成されると、その運転指示情報はまず室内機２の制御回路２４に入力される。そして、運転指示情報は制御回路２４から通信線１６を通じて熱源機１ａの制御回路１３に入力される。使用者からの運転指示としては、例えば冷房運転中に設定温度を２℃上げるなどの指示が該当する。この場合、変更後の設定温度と現在の室温とが運転指示情報として制御回路１３に入力される。
【００１７】
制御回路１３は、室内機２からの運転指示情報と、温度センサ１４ａ〜１４ｃ、圧力センサ１５ａ、１５ｂからの各検出値と、あらかじめ定められた計算式またはあらかじめ用意されたデータとに基づいて、ポンプ４１の運転容量を決定する。すなわち、制御回路１３は、室内機２からの運転指示情報の運転指示を実現するために熱交換器１２で必要とされる熱交換を実現するための水量の水を、熱交換器１２に供給するために必要なポンプ４１の運転容量を決定する。
【００１８】
ここで、ポンプ４１の運転容量の決定方法について具体例により説明する。なお、以下では、室内機２からの運転指示として設定温度を２℃上げる等、冷房能力を下げる指示がなされ、制御回路１３がポンプ４１の運転容量を現在よりも下げる場合について説明する。また、本例では、ポンプ４１が、例えば運転強度を強・中・小のように段階的に切り替え可能に構成されているものとし、制御回路が運転強度を１段階下げると決定する場合の各検出値の条件について以下に示す。また、温度センサ１４ａ〜１４ｃ、圧力センサ１５ａ、１５ｂにより検出される各検出値のうち、ポンプ４１の運転容量の決定に用いる検出値は、各検出値の全てであってもよいし、１つでもよい。また、以下の（１）〜（４）の各しきい値はあらかじめ制御回路１３内のメモリに記憶されている。
【００１９】
（１）水配管３１の水温
（ａ）水配管３１の入力側水温 − 水配管３１の出力側水温 ≧ しきい値
（ｂ）｜水配管３１の入力側水温｜ ≧ しきい値
（ｃ）｜水配管３１の出力側水温｜ ≧ しきい値
【００２０】
（２）冷媒配管３０の冷媒温度
（ａ）冷媒配管３０の入力側冷媒温度 − 冷媒配管３０の出力側冷媒温度 ≧ しきい値
（ｂ）｜冷媒配管３０の入力側冷媒温度｜ ≧ しきい値
（ｃ）｜冷媒配管３０の出力側冷媒温度｜ ≧ しきい値
【００２１】
（３）冷媒配管３０の圧力
（ａ）冷媒配管３０の入力側圧力 − 冷媒配管３０の出力側圧力 ≧ しきい値
（ｂ）｜冷媒配管３０の入力側圧力｜ ≧ しきい値
（ｃ）｜冷媒配管３０の出力側圧力｜≧ しきい値
【００２２】
（４）室内温度
（ａ）室内温度 − 室内設定温度 ≧ しきい値
【００２３】
以上のように、例えば（１）（ａ）の場合、制御回路１３は、水配管３１の入力側と出力側との温度変化量がしきい値以上であれば、ポンプ４１の運転容量を現在よりも１段階下げると決定する。例えば、現在の運転強度が「強」であれば、「中」に変更すると決定する。すなわち「中」に対応する運転容量をポンプ４１の運転容量として決定することになる。
【００２４】
ポンプ４１の運転容量の決定方法としては、上記のように現状からの運転強度の上げ下げを決定する方法の他、次の表１に示すように上記（１）〜（４）の組み合わせにより、現在の運転強度に関係なく、直接運転強度の段階を決定するようにしてもよい。ここでは、（１）（ａ）と（４）（ａ）との組合せの例を示す。
【００２５】
【表１】
2011094940.tif 000003
【００２６】
表１では、室内温度と室内設定温度との差が０〜３度であり、また、水配管３１の入力側水温と水配管３１の出力側水温との差が２〜４度の場合、運転強度を「中」に決定している。
【００２７】
以上のようにして制御回路１３はポンプ４１の運転容量を決定し、その決定した運転容量でポンプ４１を駆動するための制御信号（アナログ信号または多値のデジタル信号）を、制御信号配線１７を介してポンプ駆動回路４２に出力する。
【００２８】
ポンプ駆動回路２５は、受信した制御信号に応じた電力のポンプ駆動電力をポンプ駆動出力配線４３に出力する。ポンプ４１は、ポンプ駆動電力配線を通じてポンプ駆動電力を受電し、ポンプ駆動電力の電力に応じた能力でポンプ４１を運転する。すなわち、ポンプ４１は制御回路１３により決定された運転容量で駆動することになる。その結果、例えば上記のようにポンプ４１の運転強度を現在よりも１段階下げた場合、熱交換器１２に流れる水量が減少して熱交換器１２における熱交換量が減少し、これにより室内機２側の室温が上昇して目的の室内設定温度が達成される。
【００２９】
以上説明したように実施の形態１によれば、熱交換器１２に流す必要のある水量に見合った運転容量でポンプ４１を運転させるようにした。このため、従来のように単にポンプ４１を運転または停止しかできない場合のように、必要以上の運転容量で運転して必要以上の水量を送り出すような無駄な運転を行うことを防止できる。よって、例えば熱交換器１２に流す必要のある水量が少なくて良い場合、従来ではいわば最大の運転強度で運転する必要があったのに対し、本例では弱の運転強度でポンプ４１を運転することが可能となる。そのため、ポンプ４１が無駄な電力を消費せず、この空調機を備えた空調システム全体での消費電力を低減することができる。また、ポンプ４１を長寿命化することができる。また、常に最大能力でポンプを運転する従来技術に比べ、ポンプユニット４０が発生する騒音を低減することができる。
【００３０】
実施の形態２．
実施の形態１は、１つの水回路に１台の熱源機１ａと１台のポンプユニット４０とが接続された形態であったが、実施の形態２は、１つの水回路に１台の熱源機１ａと複数のポンプユニット４０とが接続された形態である。
【００３１】
図２は、この発明の実施の形態２における熱源機と２台以上のポンプユニット間のポンプユニット制御信号配線による接続を示す図である。図２において図１と同一部分には同一符号を付す。なお、図１のポンプユニット４０と図２のポンプユニット４０Ａ〜４０Ｃとは同様の構成であるが、説明の便宜上、図１のポンプユニット４０の各構成部の符号にそれぞれＡ〜Ｃの符号を追加して区別している。以下、実施の形態２が実施の形態１と異なる部分を中心に説明する。また、図２では、熱源機１ａと、ポンプユニット４０Ａ〜４０Ｃとを図示し、その他の圧縮機や室内機の構成については省略しているが、省略部分の構成は図１に示した実施の形態１と同様である。
【００３２】
実施の形態２の空調機では、各ポンプユニット４０Ａ〜４０Ｃからの水が合流した後、熱交換器１２の入力側から熱交換器１２内部に流入し、熱交換器１２内部で冷媒回路からの冷媒と熱交換する。そして、熱交換後の水は、熱交換１２から流出した後、３つに分流されて各ポンプユニット４０Ａ〜４０Ｃにそれぞれ流入するように水回路の配管構成が形成されている。
【００３３】
また、熱源機１ａの制御回路１３は、ポンプユニット４０Ａ〜４０Ｃのそれぞれと制御信号配線１７Ａ〜１７Ｃによりそれぞれ独立して接続され、各ポンプユニット４０Ａ〜４０Ｃに独立して制御信号を出力可能となっている。
【００３４】
次に動作について説明する。
このように構成された空調機では、実施の形態１と同様に制御回路１３は、室内機２からの運転指示情報と、温度センサ１４ａ〜１４ｃ、圧力センサ１５ａ、１５ｂにより入力される各検出値と、あらかじめ定められた計算式またはあらかじめ用意されたデータとに基づいてポンプ４１Ａ〜４１Ｃの運転容量を決定する。なお、この段階で決定する運転容量は、ポンプ４１Ａ〜４１Ｃのそれぞれに対する個別の運転容量ではなく、合計の運転容量である。そして、決定した運転容量を実現し得るのに必要なポンプユニットを選択的に決定する。
【００３５】
ここでは例えば制御回路１３が、ポンプ４１Ａ〜４１Ｃに要求する合計の運転容量を、ポンプ４１Ａ〜４１Ｃの現在の運転容量の合計の半分と決定した場合、制御回路１３は、例えば全てのポンプ４１Ａ〜４１Ｃを運転すると決定する。そして、各ポンプ４１Ａ〜４１Ｃのそれぞれを現在の運転容量の半分で駆動するための制御信号（アナログ信号または多値のデジタル信号）を制御信号配線１７を介してそれぞれのポンプユニット４０Ａ〜４０Ｃのポンプ駆動回路４２Ａ〜４２Ｃに出力する。制御信号を受信したポンプ駆動回路４２Ａ〜４２Ｃの動作は上記実施の形態１のポンプ駆動回路４２の動作と同じである。
【００３６】
なお、上記の運転制御例は一例であり、例えば、全てのポンプ４１Ａ〜４１Ｃに要求する合計の運転容量が仮に１台のポンプの運転でまかなえる場合には、上記のように全てのポンプ４１Ａ〜４１Ｃを運転するのに代えて、ポンプ４１Ａの１台だけ運転すると決定するようにしてもよい。
【００３７】
以上説明したように実施の形態２によれば、上記実施の形態１と同様の効果が得られるとともに、運転が必要なポンプユニットのみ運転し、運転が不必要なポンプユニットは運転しない。そのため、ポンプは無駄な電力を消費せず、空調システム全体での消費電力を低減することができる。また、ポンプ４１Ａ〜４１Ｃの長寿命化も可能である。また、ポンプユニット４０Ａ〜４０Ｃが発生する騒音を低減することができる。
【００３８】
実施の形態３．
図３は、この発明の実施の形態３における熱源機と２台以上のポンプユニット間のポンプユニット制御信号配線による接続を示す図である。図３において図２に示した実施の形態２と同一部分には同一符号を付す。以下では、実施の形態３が実施の形態１および実施の形態２と異なる部分を中心に説明する。
【００３９】
実施の形態３の熱源機１ａは、図２に示した実施の形態２の構成に加えて、更に、熱源機１ａの制御回路１３が、ポンプユニット４０Ａ〜４０Ｃのそれぞれとインターロック信号配線１８Ａ〜１８Ｃによりそれぞれ独立して接続されている。そして、制御回路１３は、各ポンプユニット４０Ａ〜４０Ｃのそれぞれからインターロック信号を受信可能に構成されており、その他の構成は実施の形態２と同様である。
【００４０】
また、ポンプユニット４０Ａのポンプ駆動回路４２Ａは、自己のポンプ４１Ａが故障する等のポンプ４１Ａが運転できない状態となると、ポンプ４１Ａが運転できない状態にある旨のインターロック信号をインターロック信号配線１８Ａから熱源機１ａの制御回路１３に送信する。ポンプユニット４０Ｂおよびポンプユニット４０Ｃも同様の動作を行う。かかる構成により、熱源機１Ａの制御回路１３は、ポンプユニット４０Ａ〜４０Ｃの運転状態を管理している。
【００４１】
次に動作について説明する。なお、ここでは、実施の形態３が実施の形態２と異なる部分の動作を中心に説明する。ここでは、ポンプユニット４０Ａが故障により運転できない状態となっており、制御回路１３はポンプユニット４０Ａからインターロック信号配線１８Ａを介してインターロック信号を受信しているものとする。
このように構成された空調機では、実施の形態２と同様に制御回路１３は、室内機２からの運転指示情報と、温度センサ１４ａ〜１４ｃ、圧力センサ１５ａ、１５ｂからの各検出値と、あらかじめ定められた計算式またはあらかじめ用意されたデータとに基づいてポンプ４１Ａ〜４１Ｃの合計運転容量を決定する。そして、決定した合計運転容量とポンプユニット４０Ａ〜４０Ｃの運転状態とに基づいて、決定した運転容量を実現し得るのに必要なポンプユニットを選択的に決定する。ここではポンプユニット４０Ａが運転不可であるため、制御回路１３は、ポンプユニット４０Ａを除くポンプユニット４０Ｂ、４０Ｃの中から、合計運転容量を実現し得るのに必要なポンプユニットを選択的に決定し、選択されたポンプユニットに対する運転容量を決定する。選択台数や、選択されたポンプユニットに対する運転容量の振り分け方は任意である。
【００４２】
制御回路１３は、ここではポンプユニット４０Ｂのみを選択したものとすると、ポンプユニット４０Ｂに対して決定した運転容量でポンプ４１Ｂを駆動するための制御信号（アナログ信号または多値のデジタル信号）を制御信号配線１７Ｂを介してポンプ駆動回路４２Ｂに出力する。制御信号を受信したポンプ駆動回路４２Ｂの動作は、上記実施の形態１のポンプ駆動回路４２の動作と同じである。
【００４３】
以上説明したように実施の形態３によれば、実施の形態２と同様の効果が得られるとともに、何れかのポンプユニット４０Ａ〜４０Ｃが故障した場合には、運転可能なポンプユニットを使用して必要な水量を熱交換器１２に流すことが可能である。そのため、何れかのポンプユニット４０が故障しても、空調を継続することができる。
【００４４】
なお、上記各実施の形態では、温度センサ１４ａ〜１４ｃおよび圧力センサ１５ａ、１５ｂからの各検出値と、制御回路２４からの運転指示情報と、あらかじめ定められたしきい値またはテーブルとに基づいて、ポンプの運転容量を直接決定する例を挙げて説明したが、以下のようにしてもよい。すなわち、制御回路１３は、まず、各検出値と、制御回路２４からの運転指示情報と、あらかじめ定められた計算式とに基づいて熱交換器１２に流さなければならない水量を決定する。この計算式は、例えば水配管の入力側水温と、水配管の出力側水温と、室内温度と、室内設定温度とを変数として水量を計算する計算式とすることができ、この計算式はあらかじめシミュレーション等により求めればよい。続いて制御回路１３は、決定した水量を水回路に送水するために必要なポンプの運転容量を、あらかじめ定められた、水量とポンプ運転容量との関係式（テーブルでもよい）から決定する。このように、温度センサ１４ａ〜１４ｃおよび圧力センサ１５ａ、１５ｂからの各検出値と、制御回路２４からの運転指示情報とに基づいて最終的にポンプの運転容量が決定されればよく、ポンプの運転容量を決定するための上記しきい値や上記計算式等については特に限定するものではない。
【符号の説明】
【００４５】
１  熱源機、２  室内機、１０  空調機、１１  圧縮機、１２  熱交換器、１３  制御回路、１４ａ〜１４ｄ  温度センサ、１５ａ、１５ｂ  圧力センサ、１６  通信線、１７  制御信号配線、２１  膨張弁、２２  熱交換器、２３  温度センサ、２４  制御回路、３０  冷媒配管、３１  水配管、４０  ポンプユニット、４１  ポンプ、４２  ポンプ駆動回路、４３  ポンプ駆動出力配線。
【図１】
2011094940.tif 000004
【図２】
2011094940.tif 000005
【図３】
2011094940.tif 000006